(57)【要約】【課題】  フィールドシーケンシャル方式などを利用して、ある一つの表示装置により複数番組を複数のユーザが同時に視聴する場合、あるユーザが行った操作が他のユーザの視聴状態にも影響を与えるおそれがあり、ユーザが快適に視聴できない。【解決手段】  複数のコンテンツが入力されるステップと、入力された複数のコンテンツを復号するステップと、復号した複数のコンテンツを交互に表示するステップと、ユーザからの指示を入力するステップと、入力したユーザからの指示に対応する処理を、前記複数のコンテンツのうちの１つのコンテンツの表示に対して行うステップとを有するように構成する。【選択図】  図６
2012044490.tif 000002
【特許請求の範囲】
【請求項１】
コンテンツが入力される入力部と、
前記入力部に入力されたコンテンツを復号する復号部と、
前記復号部で復号されたコンテンツを表示可能な表示部と、
ユーザからの指示が入力されるユーザインタフェース部とを有する表示装置であって、
前記表示部は前記復号部で復号された複数のコンテンツを交互に表示し、
前記ユーザインタフェース部にユーザの指示が入力されると、入力された指示に対応する処理を、前記表示部に表示する複数のコンテンツのうちの一つのコンテンツの表示に対して行うことを特徴とする表示装置。
【請求項２】
請求項１の表示装置であって、
ＯＳＤ（ＯｎＳｃｒｅｅｎＤｉｓｐｌａｙ）画面を生成するＯＳＤ生成部と、
前記復号部で復号されたコンテンツに前記ＯＳＤ生成部で生成されたＯＳＤ画面を合成する合成部とを備え、
前記入力された指示に対応する処理は、前記合成部における合成であることを特徴とする表示装置。
【請求項３】
請求項１の表示装置であって、
前記復号部で復号されたコンテンツの画質を調整する画質調整部を有し、
前記入力された指示に対応する処理は、前記画質調整部による画質調整の処理であることを特徴とする表示装置。
【請求項４】
コンテンツが入力される入力部と、前記入力部に入力されたコンテンツを復号する復号部と、前記復号部で復号されたコンテンツを表示可能な表示部と、ユーザからの指示が入力されるユーザインタフェース部と、を有する表示装置と、
前記表示装置の表示部におけるコンテンツの表示に合わせてシャッターが開閉するシャッター装置と、
前記表示装置のユーザインタフェース部にユーザからの指示を送信するリモコン装置と、
を有する表示システムであって、
前記表示装置の表示部は前記復号部で復号された複数のコンテンツを交互に表示し、
前記シャッター装置のシャッターは前記表示部に表示される複数のコンテンツのうちの１つのコンテンツが表示されているときに開放状態となり、
前記リモコン装置から前記表示装置のユーザインタフェース部にユーザの指示が入力されると、入力された指示に対応する処理を、前記表示部に表示される複数のコンテンツのうちの一つのコンテンツの表示に対して行うことを特徴とする表示システム。
【請求項５】
請求項４の表示システムであって、
前記シャッター装置と前記リモコン装置とが対応付けられており、
前記リモコン装置から前記表示装置のユーザインタフェース部にユーザの指示が入力されると、前記シャッター装置が開放状態であるときに前記表示装置の表示部に表示されているコンテンツに対して入力されたユーザの指示に対応する処理を行うことを特徴とする表示システム。
【請求項６】
請求項４の表示システムであって、
前記シャッター装置から前記表示装置のユーザインタフェース部に所定のコマンドが入力された後に前記リモコン装置から前記表示装置のユーザインタフェース部にユーザの指示が入力されると、前記シャッター装置が開放状態であるときに前記表示装置の表示部に表示されているコンテンツに対して入力されたユーザの指示に対応する処理を行うことを特徴とする表示システム。
【請求項７】
複数のコンテンツが入力されるステップと、
入力された複数のコンテンツを復号するステップと、
復号した複数のコンテンツを交互に表示するステップと、
ユーザからの指示を入力するステップと、
入力したユーザからの指示に対応する処理を、前記複数のコンテンツのうちの１つのコンテンツの表示に対して行うステップと、
を有することを特徴とする表示方法。
【発明の詳細な説明】
【技術分野】
【０００１】
技術分野は、映像を再生・表示する装置に関する。
【背景技術】
【０００２】
特許文献１には、「複数の観察者が共通に観察する１つの表示装置１１と、上記表示装置１１に複数の映像を分離可能に表示することができる液晶シャッタ駆動回路１２と、上記表示装置１１に表示されている複数の映像のうちの所定の映像を分離して観察することが可能なメガネ１３とを設け、上記表示装置１１に表示される複数の映像の表示特性と、上記複数のメガネ１３の観察特性とを１対１に対応させ、複数の観察者の中から或る観察者のみに特定の映像を観察させることができるようにする」（特許文献１［要約］参照）ことが記載されている。
【先行技術文献】
【特許文献】
【０００３】
【特許文献１】特開平６−２５０１１６号
【発明の概要】
【発明が解決しようとする課題】
【０００４】
しかし、特許文献１では、複数のユーザが表示装置に対して操作を行う場合については考慮されていない。そのため、あるユーザが行った操作が他のユーザの視聴状態にも影響を与えるおそれがあり、ユーザが快適に視聴できない。
【課題を解決するための手段】
【０００５】
上記課題を解決するために、本発明の一実施の態様は、例えば複数のコンテンツが入力されるステップと、入力された複数のコンテンツを復号するステップと、復号した複数のコンテンツを交互に表示するステップと、ユーザからの指示を入力するステップと、入力したユーザからの指示に対応する処理を、前記複数のコンテンツのうちの１つのコンテンツの表示に対して行うステップとを有するように構成する。
【発明の効果】
【０００６】
上記手段によれば、複数のユーザが利用する表示装置に関して、それぞれにとって使い勝手が良い表示装置を実現することができる。
【図面の簡単な説明】
【０００７】
【図１】３Ｄ映像を視聴する方法の概念図の一例
【図２】一つの表示装置を用いて２名のユーザが２つの番組を同時視聴する方法の概念図の一例
【図３】表示装置の構成の一例を示すブロック図
【図４】実施例１におけるシャッターメガネの機能ブロックおよび構成の一例を示す図
【図５】一つの表示装置を用いて２名のユーザが２つの番組を同時視聴する場合の処理手順の一例を示すシーケンス図
【図６】実施例１による表示装置の動作の一例を示す図
【図７】実施例２におけるシャッターメガネの機能ブロックおよび構成の一例を示す図
【図８】実施例２における処理手順の一例を示すシーケンス図
【図９】実施例２による表示装置の画面構成の一例を示す図
【図１０】実施例３における処理手順の一例を示すシーケンス図
【発明を実施するための形態】
【０００８】
以下、実施形態の例（実施例）を説明する。ただし、本発明は本実施例に限定されない。
【実施例１】
【０００９】
人間の両眼の視差を利用して、３次元（３Ｄ）の立体映像（３Ｄ映像）を視聴できるようにした立体映像表示制御方法として、例えば、フレームシーケンシャル方式が用いられる。フレームシーケンシャル方式とは、表示装置において、一画面（１フレーム）ごとに右目用と左目用の画像を交互に出力し、それに合わせてユーザが装着する液晶シャッターを駆動する方法である（図１）。液晶シャッターは例えばメガネに実装され、このとき、メガネ左右のレンズに装着されたシャッターは左右交互に開閉するように制御される。以下、液晶シャッターを備えるメガネをシャッターメガネまたはシャッター装置と呼ぶ。
【００１０】
同様の原理で、表示装置において、一画面（１フレーム）ごとに複数の別の番組の映像（例えば番組Ａと、番組Ｂの二番組）とを交互に出力し、それに合わせて複数のユーザが備えるシャッターメガネを制御することで、複数のユーザが複数の別の番組を同時に視聴可能となる。例えば図２に示すように、表示装置１０１が時分割で表示する画面に番組Ａが表示されたとき、ユーザＡのシャッターメガネ２０１は開いた状態、ユーザＢのシャッターメガネ２０２は閉じた状態、とし、表示装置１０１が次に番組Ｂを表示したときには、ユーザＡのシャッターメガネ２０１は閉じた状態、ユーザＢのシャッターメガネ２０２は開いた状態とすることで、ユーザＡには番組Ａのみが、ユーザＢには番組Ｂのみが視聴可能となる。
【００１１】
本実施例に係る表示装置の機能ブロック図の一例を図３に示す。
まず、表示装置１０１が３Ｄ映像を含むストリームを受信し３Ｄ表示を行う場合の各機能の動作について説明する。入力端子３０１はデジタル放送を受信するアンテナや、ネットワーク端子、外部機器などが接続され、映像や音声を含むデジタルデータをストリームとして入力する。
【００１２】
入力部３０２は、入力されたストリームを受信し、必要に応じて復調やデスクランブルなどを行い表示装置１０１が扱えるデータ形式にする。分離部３０３は、入力されたストリームがフィールドシーケンシャル方式による３Ｄ映像である場合は、左目用と右目用それぞれのデータに分離し、左右用のそれぞれのデコーダに入力する。
【００１３】
デコード部Ｌ３０４は、左目用の映像データをデコードする。画質調整部Ｌ３０５は左目用の映像データに対し画質調整を行う。デコード部Ｒ３０６は、右目用の映像データをデコードする。画質調整部Ｒ３０７は右目用の映像データに対し画質調整を行う。なお音声データやデータ放送については説明を省略するが、例えば前述のデコード部のどちらかでデコードを行う。
【００１４】
オーバレイ処理部３０８は、３Ｄ表示時は左右それぞれデコードされた映像を時分割で表示するよう制御し、かつＯＳＤ（Ｏｎ  Ｓｃｒｅｅｎ  Ｄｉｓｐｌａｙ）表示を合成する。また、本実施例における２Ｄ表示時には、異なる番組の映像を時分割で表示するよう制御し、各映像へのＯＳＤ合成の有無を選択できる。
【００１５】
出力端子３０９はディスプレイなどの表示装置やその他の表示機器を接続し映像出力することができる端子である。ユーザＩ／Ｆ（ＩｎｔｅｒＦａｃｅ）部３１０は、リモコンなどによるユーザからの操作を受け付ける。ＯＳＤ生成部３１１は、メニュー画面など映像データに重ねて表示する画面を生成する。
【００１６】
シャッターメガネ制御部３１２はオーバレイ制御部の出力動作と同期して、ユーザが着用するシャッターメガネのシャッターの開閉制御を行う。各機能ブロックはシステムバスにより接続され各ブロック間でのデータのやりとりや命令の伝達を行うことが可能である。
【００１７】
次に、表示装置１０１が異なる二種類の２Ｄ映像を含むストリームを受信し、時分割で二番組同時表示を行う場合の各機能の動作について説明する。分離部３０３は、入力されたストリームから二種類のストリームを分離抽出し、デコード部Ｌ３０４とデコード部Ｒ３０６にそれぞれ入力する（３Ｄ表示時とは違い左右は不問）。
【００１８】
左目用と右目用それぞれのデータに分離し、左右用のそれぞれのデコーダに入力する。デコード部Ｌ３０４は、一方のストリームの映像データ・音声データ・データ放送などをデコードする。デコード部Ｒ３０６は、もう一方のストリームの映像データ・音声データ・データ放送などをデコードする。その他の機能ブロックは３Ｄ表示時と同様である。
【００１９】
このような方法で二番組同時表示を行う場合、３Ｄ表示時とは違って異なる番組を表示することになるため、音声は複数の異なるデータを出力しなければならない。複数のユーザが同時に番組視聴する際の音声は、例えば、各ユーザが独立したイヤホンを装着しそれぞれに対して異なる音声データを出力したり、指向性の高いスピーカを使用しユーザごとに聞こえる音声データを振り分けるなどにより、視聴している番組の音声のみを聞き取れるようにする方法が考えられる。
【００２０】
本実施例で対象とする、画面に対する操作としては、例えばチャンネル切り替え／再生コンテンツ切り替え、音量調整、画質調整などが考えられる。
【００２１】
以降で説明する実施例では、フレームシーケンシャル方式による表示が可能な一つの表示装置を用いて、放送波により送出される２つの番組を２名のユーザで同時視聴する場合を主に例に挙げて説明するが、番組の数や視聴するユーザの数はこれらに限定されない。例えば、視聴する番組は放送波に限らず、ＨＤＤ（Ｈａｒｄ  Ｄｉｓｋ  Ｄｒｉｖｅ）などの記憶媒体に蓄積された番組でもよいし、インターネットなどのネットワーク経由で配信される番組でもよい。また、表示装置の表示方式はフレームシーケンシャル方式に限らずどのような方式によってもよい。また、同時視聴する番組の数およびユーザの数は上記に限定されない。
【００２２】
本実施例では、シャッターメガネが操作部（リモコン）を備えるよう構成する。本実施例で説明する複数番組視聴方式では、シャッターメガネを装着することにより、ユーザが視聴可能な画面はシャッターメガネの動作により決定する。すなわち、シャッターメガネと視聴画面が一対一で対応付けられることになる。このことを利用し、シャッターメガネに操作部（リモコン）を備えるようにする。
【００２３】
ユーザは、自身が装着しているシャッターメガネのリモコンを操作することで、視聴している番組に対する操作が可能となる。このとき、あるユーザが行った操作は、他方の同様に番組視聴しているユーザの画面に影響を与えない。
【００２４】
本実施例におけるシャッターメガネの機能ブロック図の一例を図４（ａ）に示す。制御信号受信部４０１は、表示装置から送出されるシャッター制御信号（どのタイミングで左右どちらのシャッターを開閉するか）を受信する。シャッター制御部４０２は、制御信号受信部４０１が受信した制御信号に基づき、左目用となるシャッターＬ４０３および右目用となるシャッターＲ４０４それぞれを開閉制御する。
【００２５】
さらに、シャッターメガネ２０１は操作部４０５を備え、この操作部４０５により所望の操作をリモコンコードとして表示装置へ伝達することができるようにする。操作部４０５で行える操作の例としては、同時視聴ＯＮ／ＯＦＦ切替、チャンネル切替、画質調整、音量調整などが挙げられる。
【００２６】
また、本実施例におけるシャッターメガネの構成例を図４（ｂ）に示す。この例では、メガネの左右のレンズそれぞれがシャッターＬ４０３およびシャッターＲ４０４の機能を持ち、メガネのつるの部分に操作部４０５を備え、その他の機能ブロックはメガネに内蔵されている。
【００２７】
操作部４０５における操作用ボタンの構成例を図４（ｃ）に示す。この例では、チャンネル切替（選局）、音量調整、十字ボタンによる選択・決定、メニュー画面の表示、視聴開始ボタン（そのメガネで視聴を行うことを通知するボタン、詳細は後述する）などのボタンを備えている。表示部１０１は、操作部４０５により行われた操作を、ユーザＩ／Ｆ部３１１により受信し、操作内容に従い制御を行う。
【００２８】
本実施例における２名のユーザによる二番組同時視聴時の動作の一例を説明する。図５に処理手順の一例を示す。一人のユーザ（以下、「ユーザＡ」とする）が番組視聴している場合、裸眼で２Ｄ番組を視聴している、あるいはシャッターメガネを装着して３Ｄ番組を視聴しているというパターンが考えられる。この状態から、もう一名のユーザ（以下、「ユーザＢ」とする）がシャッターメガネを装着し、２名がそれぞれ別の２Ｄ番組を視聴するケースについて説明する。
【００２９】
ユーザＡ側において、ステップ（以下、Ｓと表記）５０１で視聴中映像がどちらかを判定し、２Ｄ番組を視聴していた場合はＳ５０２に遷移しシャッターメガネ（以下、「シャッターメガネＡ」とする）を装着しＳ５０３に遷移する（画面はそのまま視聴可）。このときはまだ同時視聴状態に遷移せず、Ｓ５０３においてシャッターメガネＡはシャッターの開閉動作を行わず、裸眼の状態と同様に画面を視聴することが可能な状態にある（以下、「単独視聴モード」とする）。
【００３０】
Ｓ５０１で３Ｄ番組を視聴していたこの後、ユーザＢが新たに同じ表示装置でユーザＡが視聴している番組と異なる番組を視聴する場合、ユーザＢ側の処理を開始し、Ｓ５０６において別のシャッターメガネ（以下、「シャッターメガネＢ」とする）を装着する。
【００３１】
その後Ｓ５０７へ遷移し、視聴を開始することを表示装置へ指示する操作を行う。例えば、シャッターメガネが備える、視聴開始ボタン（視聴を開始することを表示装置へ伝達するようなリモコンコードが設定されたボタン）を押す、などである。この操作によって同時視聴モードＯＮとする。
【００３２】
表示装置は、同時視聴モードＯＮになったことを検出すると、フィールドシーケンシャル方式により２つの画面を時分割で表示するモードに切り替わり、それと同期してシャッターメガネＡに対してＳ５０５で、シャッターメガネＢに対してＳ５０８でそれぞれ同時視聴モードに対応する開閉を行うようそれぞれのシャッターメガネを制御する。
【００３３】
このとき、同時視聴モードＯＮに切り替わった直後に表示される番組の決定方法の例としては、ユーザＡが装着するシャッターメガネＡに対しては、そのときまで視聴していた番組が表示されるようにシャッター制御を行い、ユーザＢが装着するシャッターメガネＢに対しては任意の番組（例えば、チューナが記憶している前回最後に表示したチャンネル（ラストチャンネル）の番組、あるいはユーザＡが視聴している番組と同じでもよい）が表示されるようにシャッター制御を行うなどが考えられる。
【００３４】
そして、ユーザＢは必要に応じてシャッターメガネＢが備える操作部４０５により、チャンネル切り替えなどの所望のリモコン操作を行う。以上のようにして、一台の表示装置を用いて２名のユーザによる二番組同時視聴が可能となる。
【００３５】
続いて、一方のユーザがメニュー画面を開いたときの挙動について説明する。ユーザＡおよびユーザＢが上述の方法で同時に別の番組を視聴しているとき、ユーザＡが本実施例の方法、すなわちシャッターメガネＡに備えられた操作部４０５により、メニュー画面を開く操作を行った場合に表示される画面例を図６に示す。
【００３６】
本実施例の方法では、シャッターメガネに備える操作部４０５の操作により、どちらのユーザが操作を行ったかを識別可能である。そのため、この例のようにユーザＡがメニュー画面を開く動作を行った場合は、メニュー画面はユーザＡが視聴している画面のみに表示するようにする。この例では、メニュー画面はＯＳＤであるため、ＯＳＤ生成部３１１で生成されたメニュー画面を、オーバレイ処理部３０８でユーザＡの画面（デコード部Ｌ３０４および画質調整部Ｌ３０５により生成された画面）にのみ、ＯＳＤを重ね合わせるよう制御する。
【００３７】
ユーザＢが視聴している画面に対してはメニュー画面は表示されないため、各画面ごとに独立に操作が可能である。また、画質調整などの操作に対しても、図３に示したように、画質調整部Ｌ３０５および画質調整部Ｒ３０７というように独立に調整することができる構成の場合は、一方の調整結果が他方に影響しないように構成してもよいし、または双方の画面に効果が出るようにしてもよい。あるいは、いずれかのユーザが操作していることを示す表示を、操作中でないユーザが視聴している画面に表示させてもよい。
【００３８】
本実施例によれば、一台のリモコンを用いる場合と比較し、どちらの画面を操作するかということを考慮する必要がなく、ユーザは自身が装着するシャッターメガネに対して操作を行えばよいので簡便である。また、一方のユーザが要求したメニュー画面が他方のユーザが視聴している画面に表示されないように、また一方のユーザが要求した画質調整の効果を他方のユーザが視聴している画面には反映させないようにできるため、より快適な視聴が可能となる。
【００３９】
なお、視聴開始を表示装置へ伝達する方法や、表示装置の時分割表示開始時に表示される番組の決定方法などは本実施例に限定されない。操作部４０５の実装方法や、ボタンの種類・配置等は本実施例に限定されない。
【００４０】
すなわち、シャッターメガネは必ずしも操作部を内蔵している必要はなく、シャッターメガネとリモコン（操作部）とが対応付けられていれば、それぞれが分離している構成としてもよい。また、シャッターメガネにリモコンを着脱可能となるように構成してもよい。
【００４１】
シャッターメガネとリモコンとを分離することで、シャッターメガネの重量を軽くすることが可能となり、シャッターメガネを装着するユーザの負担を軽減することができる。また、シャッターメガネにリモコンを着脱可能とすることで、例えばシャッターメガネを装着する際にはリモコンを外してシャッターメガネの重量を軽減することや、コンテンツの視聴後、ユーザがシャッターメガネを外したらリモコンをシャッターメガネに取り付け、リモコンの紛失や他のリモコンとの混同を防ぐことが可能となる。
【実施例２】
【００４２】
本実施例は、表示装置が備える一つのリモコンで操作を行う場合に、２名のユーザどちらが視聴している番組に対する操作であるかを特定する手段を提供する。例えば、どちらの画面に対して操作を行うかを伝達するボタンをそれぞれのユーザが装着するシャッターメガネに備えるようにする。なお、前提条件や視聴開始までの処理手順は実施例１および図５と同様であり、表示装置の機能ブロック図は図３と同様である。
【００４３】
本実施例におけるシャッターメガネの機能ブロック図を図７（ａ）に示す。シャッターメガネは操作開始指示部７０１を備え、その他の機能ブロックは実施例１に示した図４のものと同様である。また、本実施例におけるシャッターメガネの構成例を図７（ｂ）に示す。
【００４４】
この例では、メガネの左右のレンズそれぞれがシャッターＬ４０３およびシャッターＲ４０４の機能を持ち、メガネのつるの部分に操作開始指示部７０１を備え、その他の機能ブロックはメガネに内蔵されている。また、複数のユーザが共通で表示装置を操作するために使用するリモコン７０２を備える。操作開始指示部７０１におけるボタンの構成例を図７（ｃ）に示す。この例では、操作開始ボタン（そのメガネにより視聴している画面に対して操作を行うことを通知するボタン、詳細は後述する）および視聴開始ボタン（実施例１で説明したものと同様）を備えている。
【００４５】
本実施例における表示装置の操作方法の一例について説明する。２名のユーザが一台の表示装置を用いて二番組同時視聴を行っている際に、一方のユーザ（以下、ユーザＣとする）が視聴画面に対して操作を行いたい場合、ユーザＣは自身が装着するシャッターメガネ（以下、シャッターメガネＣとする）に対し、操作を開始することを表示装置に伝達する操作を行う（Ｓ７０１）。例えば、シャッターメガネが備える、操作開始ボタン（操作を開始することを表示装置に伝達するよう設定されたボタン）を押す、などである。
【００４６】
シャッターメガネは、操作開始ボタンが押されると、表示装置に対して操作開始指示を送信する（Ｓ７０２）。表示装置は、Ｓ７０６でシャッターメガネＣより操作開始の指示を受け付けると、Ｓ７０７で操作が可能な期間であるかを判定する。操作が可能である場合、Ｓ７０８へ遷移しユーザＣに対して操作可能である旨を通知し、ユーザＣに対する操作許可期間（ユーザＣによる操作が可能な期間）を設定する。
【００４７】
他のユーザの操作許可期間中であるなどの要因により操作不可である場合は、Ｓ７０９へ遷移しユーザＣに対して操作不可である旨を通知する。これらの通知は、例えばＯＳＤとして、図３のＯＳＤ生成部３１１で生成された後オーバレイ処理部３０８により、各ユーザの視聴画面に描画される。表示装置は、Ｓ７０８の後、操作の受付を開始し、操作許可期間中はリモコン７０２による操作を受け付ける。
【００４８】
ユーザＣは、Ｓ７０３の操作許可期間かの判定により、期間内である場合は、Ｓ７０４に遷移し、必要に応じて所望のリモコン操作を行い、期間内であればそれを繰り返すことができる。Ｓ７０３で操作許可期間外と判定されると、操作許可期間終了のため処理を終了する。
【００４９】
以上のように、複数のユーザがあっても、どのユーザによる操作かを、ユーザが操作開始ボタンを押すことにより表示装置が判別できるようになる。この操作許可期間の長さはあらかじめ任意に設定してもよい。
【００５０】
また、この期間中は他のユーザ（シャッターメガネ）からの操作開始は受け付けないようにしてもよいし、シャッターメガネごとに優先度をつけるなどして操作許可の割り込みを可能にしてもよい。また、実施例１と同様に、いずれかのユーザがメニュー画面を表示させる操作を行っても、それ以外のユーザの画面にはメニュー画面を表示させないようにする構成も可能である。
【００５１】
その場合の表示装置の表示画面の一例を図９に示す。ユーザＣが視聴する画面（９０１）にはメニューが表示され、リモコン７０２による操作が可能である。これに対し、ユーザＣ以外のユーザが視聴する画面（９０２）には、メニューが表示されず、またユーザＣが操作を行っている旨の表示を行う。この画面を視聴しているユーザはリモコンによる操作ができないように構成してもよい。
【００５２】
本実施例によれば、ユーザの判別のための機能のみをシャッターメガネへ実装することで、表示装置への操作は普段使用する一つのリモコンを用いて行えるようになり、シャッターメガネそのものの拡張機能は少なくてすむ（リモコン相当の機能が不要となる）。したがって、低コスト・簡易なシステム構成が可能となる。
【００５３】
また、操作開始指示部７０１は、必ずしもシャッターメガネに内蔵されている必要はなく、どのシャッターメガネかを一意に特定できるように設定したボタンを、リモコン側に設けてもよい。例えば、リモコンのカラーボタン（赤・青・緑・黄からなる、状況に応じて必要な機能を割り当てることができるボタン）を利用し、かつシャッターメガネ側にカラーボタンと対応する色をあらかじめ与えておくことで、いずれかの色のカラーボタンを押した後、対応する色のシャッターメガネで視聴可能な画面に対してのみ操作を許可する、といった構成も可能である。
【００５４】
このように、シャッターメガネにリモコンを内臓しないことで、シャッターメガネの重量を軽くすることが可能となり、シャッターメガネを装着するユーザの負担を軽減することができる。
【００５５】
また、実施例１と同様に、シャッターメガネに操作開始指示部７０１を着脱可能となるように構成してもよい。これにより、例えばシャッターメガネを装着する際には操作開始指示部７０１を外してシャッターメガネの重量を軽減することや、コンテンツの視聴後、ユーザがシャッターメガネを外したら操作開始指示部７０１をシャッターメガネに取り付け、操作開始指示部７０１の紛失や他の操作開始指示部７０１との混同を防ぐことが可能となる。
【実施例３】
【００５６】
実施例１および２は、ユーザ２名に対し一つの表示装置を用い２つの番組を同時視聴する例について述べた。本手法による同時視聴の原理によれば、同時視聴可能なユーザの人数は二人に限定されない。すなわち、例えばデコード部の数やオーバレイ処理部、表示部（液晶パネル、プラズマディスプレイパネルなど）の性能によっては、より多数の時分割表示が可能となる。
【００５７】
その際、複数人のユーザのうち何名かが同じ番組（画面）を視聴する場合が考えられる。複数人で同時視聴開始するシーケンスは、例えば実施例１で述べた図５の処理手順を人数に応じて順次行っていくなどにより実現される。
【００５８】
このような場合は、同じ画面を視聴しているユーザそれぞれに対しては、同じ画像出力結果が見えるようにシャッターメガネの制御を変更する。すなわち、ユーザ数と同じ数の時分割表示を行うのではなく、同じ映像表示のタイミングに合わせて、同じタイミングでシャッターを開閉する制御を行うようにする。
【００５９】
本実施例における処理例を図１０に示す。処理開始後、Ｓ１００１にて視聴開始処理を行う。この視聴開始時のシーケンスは、実施例１で記載した方法により複数人が順次視聴開始してもよいし、それ以外の方法でもよい。
【００６０】
全員が視聴を開始した後、Ｓ１００２へ遷移し、同じ画面（ここでは、テレビ番組として説明するが、画面の内容はテレビ番組に限定されない）を視聴しているかを判定する。この判定は、例えば分離部３０３が入力部３０２やユーザＩ／Ｆ部３１０などから情報を取得し行う。
【００６１】
Ｓ１００２での判定の結果、同じ番組（以降、番組Ｄとする）を視聴しているユーザがいると判定された場合、Ｓ１００３へ遷移し、番組Ｄを視聴するユーザすべてに対して同じ処理を行うようにシャッターメガネおよびオーバレイ処理部の制御を開始する。
【００６２】
Ｓ１００３では、例えば具体的には、分離部３０３から番組のデータを各デコード部に送出する際に、番組Ｄを視聴しているユーザが複数いたとしても、ユーザ数分のデータを扱うのではなく、番組Ｄのデータはひとつのデコード部（例えばデコード部Ｌ３０４）に対してのみ送出し、Ｓ１００４へ遷移する。
【００６３】
Ｓ１００４では、そしてオーバレイ処理部３０８は番組Ｄを含む複数の番組の表示タイミングを制御し、シャッターメガネ制御部３１２は、オーバレイ処理部３０８により決定された表示タイミングに合わせて番組Ｄを視聴するすべてユーザのメガネを同じタイミングで制御する。以上のようにして、必要最低限の処理で複数ユーザによる同じ番組の視聴を実現する。
【００６４】
Ｓ１００２でユーザがすべて異なる番組を視聴している場合は、Ｓ１００５へ遷移し、すべての番組を別々に処理（各番組または各画面ごとのＯＳＤを表示する動作）を開始する。
【００６５】
本実施例によれば、表示装置内部のデコード部やオーバレイ処理部の負荷軽減や、処理負荷軽減に伴う電力などの使用エネルギー節約ができるという効果がある。さらに、前述の実施例１や２のような方法で、特定のユーザがメニューを開いた場合は、そのユーザにのみにメニューを見せるように、さらにシャッターメガネの制御を変更するようにしてもよい。
【符号の説明】
【００６６】
１０１  表示装置
１０２  シャッターメガネ（３Ｄ映像視聴時）
２０１  シャッターメガネ（２Ｄ映像Ａ視聴側）
２０２  シャッターメガネ（２Ｄ映像Ｂ視聴側）
３０１  入力端子
３０２  入力部
３０３  分離部
３０４  デコード部Ｌ（左目用）
３０５  画質調整部Ｌ（左目用）
３０６  デコード部Ｒ（右目用）
３０７  画質調整部Ｒ（右目用）
３０８  オーバレイ処理部
３０９  出力端子
３１０  ユーザＩ／Ｆ部
３１１  ＯＳＤ生成部
３１２  シャッターメガネ制御部
４０１  制御信号受信部
４０２  シャッター制御部
４０３  シャッターＬ
４０４  シャッターＲ
４０５  操作部
７０１  操作開始指示部
７０２  リモコン
９０１  ユーザＣ視聴画面
９０２  ユーザＣ以外のユーザ視聴画面
【図１】
2012044490.tif 000003
【図２】
2012044490.tif 000004
【図３】
2012044490.tif 000005
【図４】
2012044490.tif 000006
【図５】
2012044490.tif 000007
【図６】
2012044490.tif 000008
【図７】
2012044490.tif 000009
【図８】
2012044490.tif 000010
【図９】
2012044490.tif 000011
【図１０】
2012044490.tif 000012